(57)【要約】【課題】黒板等の壁面に貼り付ける際に巻取ロールとスクリーンシートとの間で生じる張力を低減又は解消し、スクリーンシートを皺や弛みなく綺麗に貼りつけることができるマグネットスクリーン装置を提供する点にある。【解決手段】前面側にスクリーン面３を有するとともに、後面側に磁力を有するスクリーンシート２と、スクリーンシート２を巻き取る５巻取ロールと、スクリーンシート２を展張状態まで引き出し自由端側から貼付対象面に貼付していく際、巻取ロール５を繰出方向に追加回転させる、又は巻取ロール５を展張したスクリーンシート２の自由端側に移動させることで、スクリーンシート２の巻取ロール５側の領域に生じる張力を低減させる張力低減手段とを設けたものである。【選択図】図１
2015161690.tif 000002
【特許請求の範囲】
【請求項１】
前面側にスクリーン面を有するとともに、後面側に磁力を有するスクリーンシートと、
該スクリーンシートを巻き取る巻取ロールと、
前記スクリーンシートを展張状態まで引き出し自由端側から貼付対象面に貼付していく際、前記巻取ロールを繰出方向に追加回転させる、又は前記巻取ロールを前記展張したスクリーンシートの自由端側に移動させることで、前記スクリーンシートの巻取ロール側の領域に生じる張力を低減させる張力低減手段とを設けたことを特徴とするマグネットスクリーン装置。
【請求項２】
前記張力低減手段として、展張状態における前記スクリーンシートの前記巻取ロール側の領域に操作部を設けてなる請求項１記載のマグネットスクリーン装置。
【請求項３】
前記操作部が、前記スクリーンシートに孔又はスリットを設けてなる請求項２記載のマグネットスクリーン装置。
【請求項４】
前記操作部が、前記スクリーンシートに片持ち固定された舌状部よりなる請求項２記載のマグネットスクリーン装置。
【請求項５】
前記操作部が、前記スクリーンシートの幅方向における中央に位置するものである請求項２乃至４の何れか１項記載のマグネットスクリーン装置。
【請求項６】
前記スクリーンシートに、展張状態における前記スクリーン面の前記巻取ロール側の領域にスクリーンとして使用しない上黒部を設け、該上黒部に前記操作部を設けてなる請求項２乃至５の何れか１項記載のマグネットスクリーン装置。
【発明の詳細な説明】
【技術分野】
【０００１】
本発明は、黒板等の壁面に用いるマグネットスクリーン装置に関わり、更に詳しくは、皺や弛みを生じずスクリーンシートを黒板等に最後まで綺麗に貼ることができるマグネットスクリーン装置に関するものである。
【背景技術】
【０００２】
従来、ロール式のマグネットスクリーンとして、前記投映部材を、磁性を帯び、かつ、巻き取り及び引き延ばしが可能な素材で構成するとともに、該投映部材を巻き取り可能な巻き取り手段と、巻き取られた投映部材を収納する収納部を備えたものがある（特許文献１参照）。
【０００３】
このインタラクティブスクリーンは、投映部材の先端部を手でつかんで収納部から引き出し、教室に備えられている黒板に投映部材の投映面の裏面を合わせると磁力により黒板に固定され、手を離してもその固定状態が保持されるものであり、これにより、黒板が指示部材による指示部の押圧を受け止めて、通常のインタラクティブボードと同様に機能させることが可能となるものである。
【０００４】
しかし、このようなロール式のマグネットスクリーン１０では、貼付対象面と筐体１０Ａの投影部材１０Ｂの出入口との貼付面に対する垂直方向のギャップによって、投影部材１０Ｂの貼付作業中に、巻取ロールと投影部材１０Ｂとの間に張力が生じ、図６に示すように、投影部材１０Ｂの上端部分Ｙを綺麗に貼り付けることができず、また、貼り付けることができたとしても張力の影響によって投影部材に皺や弛みが生じることも多く、フラットで綺麗なスクリーン面を形成することが困難となっていた。
【先行技術文献】
【特許文献】
【０００５】
【特許文献１】実用新案登録第３０９３２８７号公報
【発明の概要】
【発明が解決しようとする課題】
【０００６】
本発明が前述の状況に鑑み解決しようとするところは、黒板等の壁面に貼り付ける際に巻取ロールとスクリーンシートとの間で生じる張力を低減又は解消し、スクリーンシートを皺や弛みなく綺麗に貼りつけることができるマグネットスクリーン装置を提供する点にある。
【課題を解決するための手段】
【０００７】
本発明に係るマグネットスクリーン装置は、前記課題解決のために、前面側にスクリーン面を有するとともに、後面側に磁力を有するスクリーンシートと、該スクリーンシートを巻き取る巻取ロールと、前記スクリーンシートを展張状態まで引き出し自由端側から貼付対象面に貼付していく際、前記巻取ロールを繰出方向に追加回転させる、又は前記巻取ロールを前記展張したスクリーンシートの自由端側に移動させることで、前記スクリーンシートの巻取ロール側の領域に生じる張力を低減させる張力低減手段とを設けたことを特徴とするものである。
【０００８】
ここで、前記張力低減手段として、展張状態における前記スクリーンシートの前記巻取ロール側の領域に操作部を設けてなると好ましい。
【０００９】
また、前記操作部が、前記スクリーンシートに孔又はスリットを設けてなると、より好ましい。
【００１０】
さらに、前記操作部が、前記スクリーンシートに片持ち固定された舌状部であってもよい。
【００１１】
さらにまた、前記操作部が、前記スクリーンシートの幅方向における中央に位置するものとすることができる。
【００１２】
前記スクリーンシートに、展張状態における前記スクリーン面の前記巻取ロール側の領域にスクリーンとして使用しない上黒部を設け、該上黒部に前記操作部を設けてなるとより好適なものとなる。
【発明の効果】
【００１３】
本発明に係るマグネットスクリーン装置によれば、巻取ロールを繰出方向に回転又は貼付対象面側へ移動させて、貼付作業中に生じる張力を低減又は解消することで、張力の影響を受けずにスクリーンシートの貼付作業を行うことができるため、スクリーンシートをフラットな状態で容易に壁面に貼り付けることができる。
【００１４】
また、前記張力低減手段として、展張状態における前記スクリーンシートの前記巻取ロール側の領域に操作部を設けてなると、操作部で前記スクリーンシートを引き出すことで、前記巻取ロールを繰出方向に回転させて、スクリーンシートの既に貼り付けられた部分と巻取ロールに巻き付けられたスクリーンシートとの間のスクリーンシートの部分（以下、「未貼付部分」という。）に生じた張力を解消又は低減させることができ、装置の構成を簡易なものとすることができる。
【００１５】
さらに、前記操作部が、前記スクリーンシートに孔又はスリットを設けてなるものであれば、操作者が孔に指や操作用器具等を掛けて、スクリーンシートを更に引き出すことで、スクリーンシートにかかる張力を簡易に低減又は解消することができる。
【００１６】
さらにまた、前記操作部が、前記スクリーンシートに片持ち固定された舌状部であれば、操作者が舌片状部材を引っ張ることで、スクリーンシートを引き出すことができ、スクリーンシートにかかる張力を簡易に低減又は解消することができる。
【００１７】
また、前記操作部が、前記スクリーンシートの幅方向における中央に位置するものによると、スクリーンシートの幅方向における中央に位置する操作部でスクリーンシートを引っ張ることで、スクリーンシートに対して幅全体に力を掛けやすいため、スクリーンシートにかかる負荷を小さくすることができる。
【００１８】
さらにまた、前記スクリーンシートに、展張状態における前記スクリーン面の前記巻取ロール側にスクリーンとして使用しない上黒部を設け、該上黒部に前記操作部を設けてなるものによると、操作部が映写等の使用時に邪魔にならず商品価値を向上することができる。
【図面の簡単な説明】
【００１９】
【図１】本発明の実施形態に係るマグネットスクリーン装置を黒板に設置した状態を示す斜視図である。
【図２】同じくマグネットスクリーン装置のスクリーンシートを引き下げた状態を示す正面図である。
【図３】同じくマグネットスクリーン装置の展張手順を示す説明図であり、（ａ）はスクリーンシートを引き下げた状態、（ｂ）はスクリーンシートの下側から途中まで黒板に貼り付けた状態、（ｃ）はスクリーンシートの未貼付部分を操作部である孔を使用して引き下げた状態、（ｄ）はスクリーンシートを黒板に貼り付けた状態を示す右側面図である。
【図４】同じくマグネットスクリーン装置の未貼付部分を引き下げる状態を示す部分拡大図である。
【図５】同じくマグネットスクリーン装置の他の例の構成を示す説明図であり、（ａ）はＵ字状スリットにより舌片状部材を設けたもの、（ｂ）は二本のスリットを設けたもの、（ｃ）は上黒部を二重シートとしたものである。
【図６】従来のロール式マグネットスクリーン装置の設置状態を示す斜視図である。
【発明を実施するための形態】
【００２０】
以下、本発明の実施形態を添付図面に基づき詳細に説明するが、本発明は、添付図面に示された形態に限定されず特許請求の範囲に記載の要件を満たす実施形態の全てを含むものである。
【００２１】
本明細書において、スクリーン面側をマグネットスクリーン装置の前面、これの反対面である貼付面側を後面とし、張力とは引っ張り合う力のこと、展張状態とは貼付予定のスクリーンシートを全て引き出した状態をいうものとする。
【００２２】
本実施形態に係るマグネットスクリーン装置１は、図１及び図２に示すように、黒板Ｂの上桟枠Ｂａに取り付けることで黒板Ｂの一部を映写用のスクリーンとして使用することができるものであって、前面側に上黒部４とスクリーン面３を有すると共に後面側に磁力を有するスクリーンシート２と、スクリーンシート２を巻き取る巻取ロール５と、この巻取ロール５を回転させる回転手段と、張力低減手段のための操作部である丸孔６を上黒部４の幅方向における中央に設けたものである。
ここで、マグネットスクリーン装置１は、映写用のスクリーンとして使用するものであるが、これに限定されず、例えば電子黒板やホワイトボードとしても使用することができる。また、貼付対象面の形状は、図１に示すような平坦面に限らず、凹曲する面や凸曲する面であってもよい。
なお、操作部は、貼付作業において未貼付部分となりやすい位置、つまり、スクリーンシートの展張状態において表れる領域の上端部に設けることでその効果を十分に発揮できるものである
【００２３】
スクリーンシート２は、前面側の一部がスクリーン面３として、後面側はスクリーンシート２が黒板等に貼付可能な磁力を有するものとして構成されている。
前面側のスクリーン面３上側には、スクリーンとして使用しない上黒部４が設けられ、この上黒部４に操作部を形成する丸孔６が設けられている。
この丸孔６の使用方法の詳細については後述するが、この丸孔６は、スクリーンシート２の貼付面への貼付作業中に、スクリーンシート２の黒板Ｂに既に貼り付けられた部分と巻取ロール５との間のスクリーンシート２に生じる張力を解消する張力解消手段としての操作部として利用されるものである。
ここで、この操作部としての孔の形状が丸であるため、この丸孔６に指や操作用棒体を掛けて張力解消を行う場合に、力が集中することなく分散するため、破れ等の問題が生じにくい。また、この丸孔６は、単にスクリーンシート２に孔をあけたものであるためスクリーンシート２の巻取状態においても邪魔にならない。
孔の形状は、このような丸以外にも楕円、矩形又は台形等、様々な形状を、その製品に必要と考えられる操作性、デザイン性又は耐久性等を考慮したうえで選択することが可能である。
また、孔の数についても、一個に限らず二個以上設けることによって両手で操作可能としたり、スクリーンシートへの負担を低減したりすることができる。
【００２４】
ここで、操作部である丸孔６の周縁を、補強剤の塗布又は熱処理することによって前記スクリーンシートの厚みを略均一のまま補強することも考えられる。このような構成によれば、スクリーンシートの厚みを略同一のまま操作部の強度を部分的に向上させることができるため、効率よく操作部の破れ等の問題が防ぐことが可能となる。このようは補強は別体で形成した補強部材を固定して行うものであってもよい。
【００２５】
巻取ロール５は、円筒形状であって筐体７に内装されており、この巻取ロール５には、スクリーンシート２を巻き取る方向に回転付勢する回転手段としてバネ部材が取付けられている。バネ部材の付勢力は、スクリーンシート２を下方に若干引き下げることで解除可能としている。スクリーンシート２の自動又は半自動の回転手段については、このような構成に限らず、例えば駆動装置を用いたものとし、この駆動装置の操作によって回転されるものであってもよい。
この回転手段により、スクリーンシート２は常に又は必要時に巻取ロール５から巻き取る方向の力を受けること共に、少なくともスクリーンシート２の自重によってスクリーンシート２が繰出されないように回転規制されている。
なお、この回転規制は、必要量のみを引き出して使用することもあるスクリーンシート２では一般的なものであるが、この回転規制によって、スクリーンシート２の貼付作業中に、黒板に既に貼り付けたスクリーンシート２と、回転規制されている巻取ロール５との間で張力が生じることで、スクリーンシート２の上端部の貼付が困難なものとなる。
【００２６】
筐体７は細長い長方体形状であって、スクリーンシート２を繰り出す側の面には、スクリーンシート２よりも大きい寸法の幅と厚みを有するスリットが設けられており、このスリットからスクリーンシート２が繰り出される。また、このスリットは、スクリーンシート２の先端側に設けられた下端バー８よりも小さい寸法の幅と厚みで形成されている。このため、スクリーンシート２の巻取時に、スクリーンシート２を全て巻き取ると、この下端バー８がスリットを通過できず筐体７に当接することで巻取りが完了する。
筐体７の後面の左右両端には、取付部７ａが設けられており、この取付部７ａを黒板Ｂの上桟枠Ｂａに螺子で固定することで、マグネットスクリーン装置１が黒板Ｂに取り付けられる。
【００２７】
また、スクリーンシート２の自由端側には、スクリーンシート２の繰出し及び巻取りをスムーズに行なうための細長い下端バー８が設けられている。この下端バー８の後面側にも貼付可能な磁力有しているため、スクリーンシート２の展張時には、この磁力によって黒板等に貼り付いた状態で保持される。
【００２８】
次に、本発明の実施形態におけるマグネットスクリーン装置１の黒板Ｂへの設置及びスクリーンの展張手順について説明する。
【００２９】
マグネットスクリーン装置１を黒板Ｂに設置するには、マグネットスクリーン装置１の筐体７の左右にある二個の取付部７ａ、７ａを、黒板Ｂの上桟枠Ｂａの上面に螺子で固定する。
次に、黒板Ｂに設置したマグネットスクリーン装置１の展張手順を、図３に沿って説明する。
まず、筐体７の下側に位置する下端バー８を引き下げてスクリーンシート２を繰り出し、貼付予定のスクリーンシート２を全て引出した状態で、スクリーンシート２の下端又は下端バー８を黒板Ｂに磁着させる（ａ）。
次に、スクリーンシート２を下側から順に黒板Ｂに押し当ててスクリーンシート２を磁着させて貼り付けていく。
ここで、貼付対象面である黒板Ｂの表面とスクリーンシート２の出入口である筐体７のスリットとの間には、黒板Ｂの表面に対する垂直方向におけるギャップが原因となり、スクリーンシート２の未貼付部分に張力が生じる（ｂ）。
この張力によって、スクリーンシート２の上部を黒板Ｂ貼り付けることができず、また、無理に貼り付けると皺や歪みが生じることとなる。
このため、まずこの張力を解消すべく、図４に示すようにスクリーンシート２の上黒部４の丸孔６に指を掛けてスクリーンシート２を引き下げるようにして、スクリーンシート２が弛むまで引き出す（ｃ）。この操作によりスクリーンシート２の未貼付部分の張力が解消する。
最後に、スクリーンシート２の上端部分を黒板Ｂに磁着させて、スクリーンの展張作業が完了する（ｄ）。
【００３０】
図５には、本実施形態におけるマグネットスクリーン装置の他の例を示す。
【００３１】
マグネットスクリーン装置１Ａは、スクリーンシート２の上黒部４の左右方向における中央に、Ｕ字状スリット６Ａを形成することにより操作部が構成されている。これによって、このＵ字状スリット６Ａに指を掛けて張力解消作業を行うことができる。また、Ｕ字状スリット６Ａであれば、丸孔と同様に耐久性を向上することができ、加えて、Ｕ字状スリット６Ａ内に形成された舌片を掴んで引き下げて使用することも可能である。
【００３２】
マグネットスクリーン装置１Ｂは、スクリーンシート２の上黒部４の左右方向における中央に、二本のスリット６Ｂ、６Ｂを形成することにより操作部が構成されている。これによって、このスリット６Ｂの間に位置するシートを把持して、又は、二本のスリット６Ｂ、６Ｂの何れかに指を掛けて張力解消作業を行うことができる。
なお、スクリーンシート２に設けるスリットは、横方向にのびる直線に限らず斜め方向や縦方向にのびるものや、曲線であってもよい。
【００３３】
ここで、マグネットスクリーン装置１Ａ、１Ｂは、Ｕ字状スリット６Ａ及び二本のスリット６Ｂ、６Ｂで形成された操作部が外観上目立たず、装置全体としてスマートなデザインとすることも可能であり、また、これらの操作部は、スクリーンシート２の厚さを略均一な状態で形成できるものであるため、スクリーンシート２を巻取ロール５に巻き取る際に、部分的にスクリーンシート２が偏ることがなく、スクリーンシート２の繰出し及び巻取りを繰り返すスクリーン装置として、高い信頼性を得ることができる。
【００３４】
マグネットスクリーン装置１Ｃは、スクリーンシート２に上側に、スクリーンシート２とは別に操作用シート９が設けられ、この操作用シート９の左右方向における中央に設けられた丸孔６によって操作部が形成されている。
このマグネットスクリーン装置１Ｃでは、スクリーンシート２に孔やスリットを設けず、別シートとして設けた操作用シート９に丸孔６を形成して引掛け部を設けられているため、張力解消作業によるスクリーンシート２へ負荷を少ないものとし、また、もしこの丸孔６に指を掛けて操作を行うことによって操作用シート９が破れることがあっても、この操作用シート６Ｃのみを交換することによって容易に修理することができ、商品の耐久性とメンテナンス性の向上を実現することができる。
なお、操作用シート６Ｃは、前記巻取ロール５に直接固定してもよく、孔を設けないものとして操作用シート６Ｃ自体を引っ張って操作するものとしてもよい。
また、この操作用シート６Ｃを、巻取ロール５の外周寸法の略整数倍の長さ寸法を有するものとすることで、スクリーンシート２と操作用シート９とを巻き取った状態におけるシートの巻付け量の偏りをほとんど生じず、略均一な状態で巻き取ることができる。
【００３５】
上記実施形態では、張力低減手段としてスクリーンシート２に設けた操作部を採用したものとしているため、マグネットスクリーン装置１を簡易な構成とし、製造面及びメンテナンス面において有利なものとなっている。
【００３６】
これに対し、張力低減手段を、巻取ロール５をスクリーンシート２の貼付面側へ移動させるスライド機構を備えてなるものとしてもよく、このような構成にすることでスクリーンシート２への負担の少ない、張力低減手段とすることができる。スライド機構は、巻取ロール５を筐体７に対してスライド自在に取り付ける、又は、筐体７を壁面に対してスライド自在に取り付けるものとなるが、これ以外にも巻取ロール５を、スクリーンシート２の貼付面に対して相対的にスライド可能とするものであればよい。
【００３７】
以上の説明においては、スクリーンシートはシート全体に磁力を有するものである場合を示したが、スクリーンシートはこのようなものに限定されるものではなく、部分的に磁力を有するものとすることで、取り外し易いものとして構成してもよい。
また、取付部については、黒板等の既設の設備に固定するものでなくてもよく、例えば、取付対象に左右方向にのびるレール部材を固定し、このレールにスライド可能に取付部を係合させてなるものとすると、マグネットスクリーン装置をレール部材の範囲内で移動させることができ、設置場所をより自由に設定することができる。
さらに、筐体がスクリーンシート上方に位置する状態で使用するものに限らず、筐体が下方に位置してスクリーンシートを上方に展張するものや、筐体が左右何れか一方に位置してスクリーンシートを左右方向に展張するものであってもよい。
また、前記張力低減手段として、巻取ロールをスクリーンシートの貼付面側へ移動させるスライド機構を備えてなるものであれば、巻取ロールをスクリーンシート側へ移動させることにより、スクリーンシートへの張力が低減又は解消するため、スクリーンシートへの負荷をより小さくすることができる。
【符号の説明】
【００３８】
１     マグネットスクリーン装置（丸孔タイプ）
１Ａ   マグネットスクリーン装置（Ｕ字状スリットタイプ）
１Ｂ   マグネットスクリーン装置（二本スリットタイプ）
１Ｃ   マグネットスクリーン装置（二重シートタイプ）
２     スクリーンシート
３     スクリーン面
４     上黒部
５     巻取ロール
６     丸孔
６Ａ   Ｕ字状スリット
６Ｂ   スリット
６Ｃ   操作用シート
７     筐体
７ａ   取付部
８     下端バー
９     操作用シート
１０   マグネットスクリーン（従来例）
１０Ａ 筐体
１０Ｂ 投影部材
Ｂ     黒板
Ｂａ   上桟枠
Ｙ     上端部分（貼付困難部分）
【図１】
2015161690.tif 000003
【図２】
2015161690.tif 000004
【図３】
2015161690.tif 000005
【図４】
2015161690.tif 000006
【図５】
2015161690.tif 000007
【図６】
2015161690.tif 000008